(57)【特許請求の範囲】
【請求項１】
画面を表示するとともに、前記画面にオブジェクトを重ねて表示する表示部と、
前記表示部に対して設けられ、ユーザーがタッチしている複数のタッチ位置を検知するためのタッチパネル部と、を備え、
前記表示部は、前記オブジェクトを重ねた画面を表示している最中に、前記タッチパネル部の２点をタッチする操作が行われた場合、前記オブジェクトの移動先となり得る画面の候補である移動先候補を示す移動先情報を表示し、
前記タッチパネル部は、前記移動先情報の表示位置をタッチした後にタッチを解除する操作を含むオブジェクト移動操作が行われることで、直近のタッチ位置に表示されていた前記移動先情報に対応する移動先候補を前記オブジェクトの実際の移動先として確定した旨を受け付け、
前記移動先が確定した後、前記移動先の画面を表示するとき、前記表示部は、前記オブジェクトを前記移動先の画面に重ねて表示することを特徴とする表示入力装置。
【請求項２】
前記タッチパネル部は、前記オブジェクトの表示位置の２点がタッチされた後、２点をタッチしたまま２点の間隔を変動させる操作が行われることで、タッチ位置に表示されていた前記オブジェクトを移動対象として確定した旨を受け付けることを特徴とする請求項１に記載の表示入力装置。
【請求項３】
前記表示部は、移動対象の前記オブジェクトが確定して以降、前記タッチパネル部の２点がタッチされたまま予め定められた所定時間が経過した時点で、前記移動先情報を表示することを特徴とする請求項２に記載の表示入力装置。
【請求項４】
前記タッチパネル部は、前記表示部が前記移動先情報を表示して以降、移動対象の前記オブジェクトの表示位置において１点以上をタッチしたまま、タッチ位置を前記移動先情報の表示位置に移動してタッチを解除する操作であるオブジェクト移動操作が行われることで、直近のタッチ位置に表示されていた前記移動先情報に対応する移動先候補を前記オブジェクトの実際の移動先として確定した旨を受け付けることを特徴とする請求項３に記載の表示入力装置。
【請求項５】
前記タッチパネル部は、前記表示部が前記移動先情報を表示して以降、前記オブジェクトの表示位置でのタッチを解除してから、前記移動先情報の表示位置をタッチした後にタッチを解除する操作であるオブジェクト移動操作が行われることで、直近のタッチ位置に表示されていた前記移動先情報に対応する移動先候補を前記オブジェクトの実際の移動先として確定した旨を受け付けることを特徴とする請求項３に記載の表示入力装置。
【請求項６】
前記表示部は、移動対象の前記オブジェクトが確定して以降、前記タッチパネル部の２点がタッチされたまま前記所定時間が経過していなければ、前記移動先情報を表示せず、
前記タッチパネル部は、移動対象の前記オブジェクトが確定して以降、前記所定時間の経過前に移動対象の前記オブジェクトの表示位置でのタッチを解除し、同一画面内において移動対象の前記オブジェクトの表示位置とは異なる位置をタッチした後にタッチを解除する操作が行われることで、同一画面内の直近のタッチ位置を移動対象の前記オブジェクトの移動先として確定した旨を受け付けることを特徴とする請求項３〜５のいずれかに記載の表示入力装置。
【請求項７】
前記表示部は、移動対象の前記オブジェクトの移動先となり得る移動先候補が複数存在する場合、移動先となり得る複数の移動先候補をそれぞれ示す複数の前記移動先情報を一覧表示することを特徴とする請求項１〜６のいずれかに記載の表示入力装置。
【請求項８】
前記タッチパネル部は、
前記表示部が前記移動先情報を表示して以降、移動対象の前記オブジェクトの表示位置において１点以上をタッチしたまま、タッチ位置を前記移動先情報の表示位置に移動してタッチを解除する操作が行われた場合、直近のタッチ位置に表示されていた前記移動先情報に対応する移動先候補を前記オブジェクトの実際の移動先として確定した旨を受け付けるとともに、前記オブジェクトを既存の場所に残したまま前記オブジェクトの複製を前記移動先に移動させる旨を受け付け、
前記表示部が前記移動先情報を表示して以降、前記オブジェクトの表示位置でのタッチを解除してから、前記移動先情報の表示位置をタッチした後にタッチを解除する操作が行われた場合、直近のタッチ位置に表示されていた前記移動先情報に対応する移動先候補を前記オブジェクトの実際の移動先として確定した旨を受け付けるとともに、前記オブジェクトを切り取って前記移動先に移動させる旨を受け付けることを特徴とする請求項１〜７のいずれかに記載の表示入力装置。
【請求項９】
前記オブジェクトは、電子付箋であることを特徴とする請求項１〜８のいずれかに記載の表示入力装置。
【請求項１０】
請求項１〜９のいずれかに記載の表示入力装置を備えた画像形成装置。
【発明の詳細な説明】
【技術分野】
【０００１】
本発明は、表示入力装置および画像形成装置に関する。
【背景技術】
【０００２】
従来、コピー機能、スキャン機能およびファックス機能など複数種の機能を搭載した画像形成装置が知られている。そして、画像形成装置には、複数種の機能のうち使用する機能の選択指示、および、使用する機能の設定指示などを受け付けるための表示入力装置が備えられるのが一般的である。
【０００３】
画像形成装置の表示入力装置には、ハードキーなどの他に、ソフトキーを表示するタッチパネル付きの表示部が設けられる場合がある。このような表示入力装置では、各種設定を受け付けるためのソフトキーを表示部に表示し、タッチパネルの出力に基づき、タッチパネルを介してタッチされたソフトキーを検知する。
【０００４】
表示入力装置は、複数種の機能のうちから使用機能が選択されると、選択された機能に対応する設定画面を表示する。たとえば、表示入力装置は、コピー機能が選択されると、コピー機能の設定画面を表示し、その後、スキャン機能が選択されると、表示画面をコピー機能の設定画面からスキャン機能の設定画面に切り替える。これにより、ユーザーは、選択した機能に関する設定を行うことができる。
【０００５】
また、従来では、ユーザーによって作成されたオブジェクト（たとえば、電子付箋など）を各機能の設定画面に貼り付けることが可能な表示入力装置も存在する。ここで、ユーザーによっては、或る設定画面に貼り付けたオブジェクトを別の設定画面に移動させたい場合がある。このようなユーザーの要望に応えるため、ユーザーからのオブジェクトの移動指示の受け付けを表示入力装置に行わせることもある。
【０００６】
たとえば、オブジェクトの移動方法の一例が特許文献１に開示されている。この特許文献１では、オブジェクト（ファイルアイコン）を移動させたいユーザーは、移動させたいオブジェクトの表示位置を２点タッチする。そして、ユーザーは、オブジェクト移動モード（オブジェクトを移動させることが可能なモード）に移行するための操作を行う。ここで、特許文献１では、ソフトキーとしての移動キーが表示画面内に配されており、移動キーの表示位置をタッチすることで、オブジェクト移動モードに移行することができる。オブジェクト移動モードに移行した後、ユーザーは、移動先としたいオブジェクト（フォルダアイコン）の表示位置においてタッチパネルを２点タッチする。この操作を受け、表示入力装置の制御部は、２点タッチされた表示位置のオブジェクトを移動先として確定し、移動対象のオブジェクトを移動先のオブジェクトに移動させる処理を行う。
【先行技術文献】
【特許文献】
【０００７】
【特許文献１】特開２００１−３５６８７８号公報
【発明の概要】
【発明が解決しようとする課題】
【０００８】
しかしながら、特許文献１のオブジェクトの移動方法では、オブジェクトの移動に際して、オブジェクト移動モードに移行するための操作を行わなければならない。また、オブジェクトを移動させる際に、前以て所望の移動先（たとえば、所望の移動先画面、あるいは、所望の移動先を示すフォルダアイコン）を移動対象のオブジェクトと共に同一画面内に表示させておかなければならない。このため、ユーザーからすると、オブジェクトを移動させるまでの操作が多くなって煩わしい（負担が大きい）。また、オブジェクトを移動させるまでの操作が多くなれば、オブジェクトの移動を速やかに行うこともできず、操作性が悪い。
【０００９】
本発明は、上記の課題を解決するためになされたものであり、表示部に表示されるオブジェクトを移動させるための操作において、ユーザーにかかる負担を軽減して操作性を向上させることが可能な表示入力装置および画像形成装置を提供することを目的とする。
【課題を解決するための手段】
【００１０】
上記の目的を達成するために、本発明の表示入力装置は、オブジェクトを配した画面を表示する表示部と、表示部に対して設けられ、ユーザーがタッチしている複数のタッチ位置を検知するためのタッチパネル部と、を備えている。そして、表示部は、オブジェクトを配した画面を表示している最中に、タッチパネル部の２点をタッチする操作が行われた場合、オブジェクトの移動先となり得る移動先候補を示す移動先情報を表示する。また、タッチパネル部は、移動先情報の表示位置をタッチした後にタッチを解除する操作を含むオブジェクト移動操作が行われることで、直近のタッチ位置に表示されていた移動先情報に対応する移動先候補をオブジェクトの実際の移動先として確定した旨を受け付ける。
【００１１】
本発明の構成では、上記のように、表示部は、オブジェクトを配した画面を表示している最中に、タッチパネル部の２点をタッチする操作が行われた場合、オブジェクトの移動先となり得る移動先候補を示す移動先情報を表示する。また、タッチパネル部は、移動先情報の表示位置をタッチした後にタッチを解除する操作を含むオブジェクト移動操作が行われることで、直近のタッチ位置に表示されていた移動先情報に対応する移動先候補をオブジェクトの実際の移動先として確定した旨を受け付ける。これにより、ユーザーからすると、オブジェクトを移動させる際、タッチパネル部の２点をタッチした後（オブジェクトの移動先となり得る移動先候補を示す移動先情報を表示部が表示した後）、所望の移動先を示す移動先情報の表示位置においてタッチパネル部をタッチするだけでよく、所望の移動先（たとえば、現時点の表示画面とは別の画面）を一々表示させる必要が無いので、操作が少なくて済む。その結果、表示部に表示されるオブジェクトを移動させるための操作において、ユーザーにかかる負担を軽減して操作性を向上させることができる。
【００１２】
上記の構成において、好ましくは、タッチパネル部は、オブジェクトの表示位置の２点がタッチされた後、２点をタッチしたまま２点の間隔を変動させる操作が行われることで、タッチ位置に表示されていたオブジェクトを移動対象として確定した旨を受け付ける。これにより、ユーザーからすると、簡単な操作で移動対象のオブジェクトを確定することができるので、利便性が良い。また、タッチパネル部の２点がタッチされたことをトリガーとする別の処理（移動対象のオブジェクトを確定する処理とは異なる処理）との差別化を容易に図ることができる。
【００１３】
上記の構成において、好ましくは、表示部は、移動対象のオブジェクトが確定して以降、タッチパネル部の２点がタッチされたまま予め定められた所定時間が経過した時点で、移動先情報を表示する。これにより、タッチパネル部の２点がタッチされたことをトリガーとする別の処理（移動先情報を表示する処理とは異なる処理）との差別化を容易に図ることができる。
【００１４】
上記の構成において、好ましくは、タッチパネル部は、表示部が移動先情報を表示して以降、移動対象のオブジェクトの表示位置において１点以上をタッチしたまま、タッチ位置を移動先情報の表示位置に移動してタッチを解除する操作であるオブジェクト移動操作が行われることで、直近のタッチ位置に表示されていた移動先情報に対応する移動先候補をオブジェクトの実際の移動先として確定した旨を受け付ける。これにより、ユーザーからすると、簡単な操作で移動先を確定することができ、利便性が良い。
【００１５】
上記の構成において、好ましくは、タッチパネル部は、表示部が移動先情報を表示して以降、オブジェクトの表示位置でのタッチを解除してから、移動先情報の表示位置をタッチした後にタッチを解除する操作であるオブジェクト移動操作が行われることで、直近のタッチ位置に表示されていた移動先情報に対応する移動先候補をオブジェクトの実際の移動先として確定した旨を受け付ける。これにより、ユーザーからすると、簡単な操作で移動先を確定することができ、利便性が良い。
【００１６】
上記の構成において、好ましくは、表示部は、移動対象のオブジェクトが確定して以降、タッチパネル部の２点がタッチされたまま所定時間が経過していなければ、移動先情報を表示せず、タッチパネル部は、移動対象のオブジェクトが確定して以降、所定時間の経過前に移動対象のオブジェクトの表示位置でのタッチを解除し、同一画面内において移動対象のオブジェクトの表示位置とは異なる位置をタッチした後にタッチを解除する操作が行われることで、同一画面内の直近のタッチ位置を移動対象のオブジェクトの移動先として確定した旨を受け付ける。これにより、ユーザーからすると、同一画面内でのオブジェクトの移動も行うことができるので、利便性が良い。
【００１７】
上記の構成において、表示部は、移動対象のオブジェクトの移動先となり得る移動先候補が複数存在する場合、移動先となり得る複数の移動先候補をそれぞれ示す複数の移動先情報を一覧表示する。これにより、ユーザーからすると、移動先となり得る全ての移動先候補を把握することができるので、利便性が良い。
【００１８】
また、本発明の画像形成装置は、上記の表示入力装置を備えている。このような画像形成装置では、表示部に表示されるオブジェクトを移動させるための操作において、ユーザーにかかる負担を軽減して操作性を向上させることができる。
【発明の効果】
【００１９】
以上のように、本発明によれば、表示部に表示されるオブジェクトを移動させるための操作において、ユーザーにかかる負担を軽減して操作性を向上させることが可能な表示入力装置および画像形成装置を得ることができる。
【図面の簡単な説明】
【００２０】
【図１】本発明の一実施形態による表示入力装置を備えた画像形成装置の概略図
【図２】図１に示した画像形成装置の表示入力装置の詳細図
【図３】図１に示した画像形成装置のハードウェア構成を示したブロック図
【図４】図１に示した画像形成装置の表示入力装置に表示される画面（メインメニュー画面）の一例を示した図
【図５】図１に示した画像形成装置の表示入力装置に表示される画面（コピー機能の設定画面）の一例を示した図
【図６】図１に示した画像形成装置の表示入力装置に表示される画面（送信（スキャン）機能の設定画面）の一例を示した図
【図７】図１に示した画像形成装置の表示入力装置に表示される画面（ファックス機能の設定画面）の一例を示した図
【図８】図１に示した画像形成装置の表示入力装置に表示される画面（ボックス機能の設定画面）の一例を示した図
【図９】図１に示した画像形成装置の表示入力装置に表示される画面（オブジェクト（電子付箋）を作成するためのソフトウェアキーボードを配した画面）の一例を示した図
【図１０】図１に示した画像形成装置の表示入力装置に表示される画面にオブジェクト（電子付箋）が配されたときの図
【図１１】図１に示した画像形成装置の表示入力装置においてオブジェクトを移動するときの操作およびそのときに表示される画面を説明するための図
【図１２】図１に示した画像形成装置の表示入力装置においてオブジェクトを移動するときの操作およびそのときに表示される画面を説明するための図
【図１３】図１に示した画像形成装置の表示入力装置においてオブジェクトを移動するときの操作およびそのときに表示される画面を説明するための図
【図１４】図１に示した画像形成装置の表示入力装置においてオブジェクトを移動するときの操作およびそのときに表示される画面を説明するための図
【図１５】図１に示した画像形成装置の表示入力装置においてオブジェクトを移動するときの操作およびそのときに表示される画面を説明するための図
【図１６】図１に示した画像形成装置の表示入力装置においてオブジェクトを移動するときの操作およびそのときに表示される画面を説明するための図
【図１７】図１に示した画像形成装置の表示入力装置においてオブジェクトを移動するときの操作およびそのときに表示される画面を説明するための図
【図１８】図１に示した画像形成装置の表示入力装置においてオブジェクトを移動するときの操作およびそのときに表示される画面を説明するための図
【図１９】図１に示した画像形成装置の表示入力装置においてオブジェクトを移動するときの操作およびそのときに表示される画面を説明するための図
【図２０】図１に示した画像形成装置の表示入力装置においてオブジェクトを移動するときの動作を説明するためのフローチャート
【図２１】図１に示した画像形成装置の表示入力装置においてオブジェクトを移動するときの動作を説明するためのフローチャート
【発明を実施するための形態】
【００２１】
（画像形成装置の全体構成）
以下、コピー機能、送信（スキャン）機能、ファックス機能およびボックス機能などの複数種の機能の実行が可能な画像形成装置（複合機）を例にとって説明する。なお、ボックス機能というのは、予め登録されたボックスと称される保存領域（たとえば、後述する記憶部１１３に設けられたフォルダ）に画像データを蓄積したり、蓄積した画像データに基づく印刷を行ったりする機能である。
【００２２】
図１に示すように、本実施形態の画像形成装置１００は、操作パネル１０１（「表示入力装置」に相当）、原稿搬送部１０２Ａ、画像読取部１０２Ｂ、給紙部１０３、用紙搬送部１０４、画像形成部１０５、定着部１０６および後処理部１０７などを備える。
【００２３】
操作パネル１０１は、たとえば、装置正面側に配置される。操作パネル１０１は、図２に示すように、表示面上にタッチパネル部１１が設けられた液晶表示部１２（「表示部」に相当）を有する。タッチパネル部１１は、ユーザーがタッチした複数のタッチ位置を同時に検知可能なマルチタッチパネルである。液晶表示部１２は、ユーザーから入力操作を受け付けるためのソフトキーやメッセージなどを配した画面を表示する。なお、液晶表示部１２に表示される画面については、後に詳細に説明する。そして、液晶表示部１２の表示面を覆うタッチパネル部１１は、ユーザーが指定したソフトキー（タッチパネル部１１を介してユーザーがタッチしたソフトキー）を検知するために設けられている。また、操作パネル１０１には、ハードキーとして、数値入力を受け付けるためのテンキー１３や、機能実行の開始指示を受け付けるためのスタートキー１４などが設けられている。
【００２４】
図１に戻って、原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００２５】
画像読取部１０２Ｂは、原稿Ｄを読み取って画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって、画像データを生成する。これにより、画像読取部１０２Ｂによる原稿Ｄの読み取り動作（スキャン）によって得られた画像データに基づき印刷を行うことができる。また、スキャンによって得られた画像データを蓄積することもできる。
【００２６】
給紙部１０３は、用紙Ｐを収容するカセット３１を複数有し、それら複数のカセット３１に収容された用紙Ｐを用紙搬送部１０４に供給する。この給紙部１０３には、収容された用紙Ｐを引き出すピックアップローラー３２や、用紙Ｐの重送を抑制するための分離ローラー対３３が設けられている。
【００２７】
用紙搬送部１０４は、画像形成装置１００の内部において用紙Ｐを搬送する。具体的に言うと、給紙部１０３から供給された用紙Ｐは、用紙搬送部１０４が搬送することによって、画像形成部１０５および定着部１０６をこの順番で通過する。この用紙搬送部１０４には、用紙Ｐを搬送するための複数の搬送ローラー対４１が設けられている。さらに、用紙Ｐを画像形成部１０５の手前で待機させ、タイミングを合わせて画像形成部１０５に送り出すレジストローラー対４２も設けられている。
【００２８】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６などを含んでいる。
【００２９】
トナー像の形成プロセスおよびトナー像の転写プロセスとしては、まず、感光体ドラム５１を回転駆動させ、その感光体ドラム５１の表面を帯電装置５２で所定電位に帯電させる。また、露光装置５３は、画像データに基づき光ビームＬを出力し、感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００３０】
転写ローラー５５は、感光体ドラム５１の表面に圧接して回転可能となっている。さらに、転写ローラー５５には所定の電圧が印加されている。この状態で、レジストローラー対４２がタイミングを計り、転写ローラー５５と感光体ドラム５１との間に用紙Ｐを進入させる。これによって、感光体ドラム５１の表面のトナー像が用紙Ｐに転写される。そして、トナー像の転写プロセスが終わると、クリーニング装置５６は、感光体ドラム５１の表面に残留するトナーなどを除去する。
【００３１】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含んでいる。そして、トナー像が転写された用紙Ｐは、定着ローラー６１と加圧ローラー６２との間を通過することで、加熱・加圧される。これにより、用紙Ｐにトナー像が定着され、印刷が完了する。
【００３２】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００３３】
（画像形成装置のハードウェア構成）
画像形成装置１００は、図３に示すように、主制御部１１０を備える。主制御部１１０は、中央演算処理装置であるＣＰＵ１１１、画像処理部１１２および記憶部１１３などを含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭ、ＲＡＭおよびＨＤＤなどからなり、たとえば、機能の実行に必要なプログラムおよびデータがＲＯＭに記憶され、それらプログラムおよびデータがＲＡＭに展開される。
【００３４】
主制御部１１０は、原稿搬送部１０２Ａ、画像読取部１０２Ｂ、給紙部１０３、用紙搬送部１０４、画像形成部１０５、定着部１０６および後処理部１０７などと接続される。そして、主制御部１１０は、記憶部１１３に記憶されたプログラムおよびデータに基づき、全体制御、画像処理制御、および、各種回転体を回転させるモーターの駆動制御などを行う。
【００３５】
主制御部１１０には、操作パネル１０１も接続される。操作パネル１０１は、主制御部１１０と接続される表示制御部１５を含む。この表示制御部１５は、ＣＰＵなどからなり、主制御部１１０から指示を受け、操作パネル１０１の表示動作を制御する。たとえば、表示制御部１５は、液晶表示部１２に表示されたソフトキーがタッチパネル部１１を介してユーザーによってタッチされると、タッチパネル部１１の出力に基づきタッチ位置の座標を検知する。すなわち、表示制御部１５は、ユーザーがタッチパネル部１１を介してタッチしたソフトキー（ユーザーが指定したソフトキー）を検知する。この表示制御部１５には、記憶部１６が接続される。そして、タッチパネル部１１の出力とタッチ位置の座標との対応を示すデータは、記憶部１６に記憶される。
【００３６】
また、主制御部１１０は、通信部１２０と接続される。通信部１２０は、たとえば、外部のコンピューター２００とネットワークを介して通信可能に接続される。これにより、コンピューター２００から送信された画像データに基づき印刷を行うことができ、スキャンによって得られた画像データをコンピューター２００に送信することもできる。また、通信部１２０にモデムなどを内蔵してもよく、この場合、電話回線などのネットワークを介して、外部のファックス装置３００とファックス通信を行うことができる。
【００３７】
（操作パネルの表示画面）
【００３８】
操作パネル１０１は、主電源が投入されると、図４に示すようなメインメニュー画面ＭＳを初期画面として表示する。メインメニュー画面ＭＳには、複数種の機能のうちから使用する機能の選択指示をユーザーから受け付けるため、複数種の機能にそれぞれ対応する複数のソフトキーＫが配される。
【００３９】
このメインメニュー画面ＭＳにおいて使用する機能がユーザーによって指定された（複数のソフトキーＫのうちのいずれかのソフトキーＫの表示位置がタッチパネル部１１を介してユーザーによってタッチされた）とき、操作パネル１０１は、指定された機能に関する設定指示などを受け付けるための設定画面（たとえば、図５〜図８に示す画面）を表示する。
【００４０】
具体的には、ソフトキーＫ１の表示位置がタッチパネル部１１を介してユーザーによってタッチされると、操作パネル１０１は、図５に示すように、コピー機能の設定指示を受け付けるための設定画面ＳＣを表示する。コピー機能の設定画面ＳＣには、コピー機能に関する複数の設定項目にそれぞれ対応する複数の設定キーＦＫが配される。図５には、一例として、用紙選択、縮小／拡大、濃度、両面／分割およびページ集約の各設定項目にそれぞれ対応する複数の設定キーＦＫが配された設定画面ＳＣを図示している。複数の設定キーＦＫのそれぞれには、対応する設定項目の現時点の設定値が表記される。そして、操作パネル１０１は、複数の設定キーＦＫのうちのいずれかの設定キーＦＫがタッチパネル部１１を介してユーザーによってタッチされ指定されると、たとえば、指定の設定キーＦＫに対応する設定項目の設定値を入力するための画面（図示せず）を表示する。これにより、ユーザーは、コピー機能に関する複数の設定項目のそれぞれの現時点の設定値を認識することができ、かつ、それら各設定値を変更することもできる。
【００４１】
この設定画面ＳＣには、複数のタブキーＴＣ１〜ＴＣ５が配される。タブキーＴＣ１〜ＴＣ５のうちのいずれかのタブキーの表示位置がタッチパネル部１１を介してユーザーによってタッチされ指定されると、操作パネル１０１は、指定のタブキーの表示位置に対応付けられた設定項目の設定指示を受け付けるための設定画面を表示する。たとえば、図５に示した設定画面ＳＣは、タブキーＴＣ１の表示位置に対応付けられた設定項目の設定指示を受け付けるための設定画面である。そして、操作パネル１０１は、図５に示した設定画面ＳＣを表示して以降、他のタブキーＴＣ２〜ＴＣ５のうちのいずれかのタブキーが指定されると、表示画面を切り替える。すなわち、指定のタブキーの表示位置に対応付けられた設定項目の設定指示を受け付けるための設定画面を表示する。
【００４２】
また、ソフトキーＫ２（図４参照）の表示位置がタッチパネル部１１を介してユーザーによってタッチされると、操作パネル１０１は、図６に示すように、送信（スキャン）機能の設定指示を受け付けるための設定画面ＳＳを表示する。送信（スキャン）機能の設定画面ＳＳでは、スキャンによって得られた画像データの送信先（保存先）の指定などを行うことができる。たとえば、送信（スキャン）機能の設定画面ＳＳには、送信可能な送信先に関する情報が送信先単位で表示される。そして、操作パネル１０１は、いずれかの送信先が指定されると、指定された送信先の情報表記欄の表示色を反転する。
【００４３】
この送信（スキャン）機能の設定画面ＳＳにも、複数のタブキーＴＳ１〜ＴＳ５が配される。たとえば、「宛先」というタブキーＴＳ１が指定されると、操作パネル１０１は、図６に示した設定画面ＳＳを表示し、他のタブキーＴＳ２〜ＴＳ５のいずれかが指定されると、指定のタブキーの表示位置に対応付けられた設定項目の設定指示を受け付けるための設定画面を表示する。
【００４４】
また、ソフトキーＫ３（図４参照）の表示位置がタッチパネル部１１を介してユーザーによってタッチされると、操作パネル１０１は、図７に示すように、ファックス機能の設定指示を受け付けるための設定画面ＳＦを表示する。ファックス機能の設定画面ＳＦでは、ファックス番号の入力などを行うことができる。たとえば、ファックス機能の設定画面ＳＦには、入力されたファックス番号を表記する番号表記欄が配される。そして、操作パネル１０１は、ファックス番号が入力されると、入力されたファックス番号を番号表記欄に表示する。
【００４５】
このファックス機能の設定画面ＳＦにも、複数のタブキーＴＦ１〜ＴＦ５が配される。たとえば、「宛先」というタブキーＴＦ１が指定されると、操作パネル１０１は、図７に示した設定画面ＳＦを表示し、他のタブキーＴＦ２〜ＴＦ５のいずれかが指定されると、指定のタブキーの表示位置に対応付けられた設定項目の設定指示を受け付けるための設定画面を表示する。
【００４６】
また、ソフトキーＫ４（図４参照）の表示位置がタッチパネル部１１を介してユーザーによってタッチされると、操作パネル１０１は、図８に示すように、ボックス機能の１つであるユーザーボックス機能の設定指示を受け付けるための設定画面ＳＢを表示する。なお、ユーザーボックス機能というのは、スキャンによって得られた画像データを蓄積したり、蓄積した画像データに基づく印刷を行ったりする機能である。
【００４７】
ユーザーボックス機能の設定画面ＳＢでは、使用するボックスの指定などを行うことができる。たとえば、ユーザーボックス機能の設定画面ＳＢには、登録済みのボックスに関する情報がボックス単位で表示される。そして、操作パネル１０１は、いずれかのボックスが指定されると、指定されたボックスの情報表記欄の表示色を反転する。
【００４８】
このユーザーボックス機能の設定画面ＳＢにも、複数のタブキーＴＢ１〜ＴＢ４が配される。たとえば、タブキーＴＢ１はユーザーボックス機能に対応付けられ、タブキーＴＢ１が指定されると、操作パネル１０１は、図８に示したユーザーボックス機能の設定画面ＳＢを表示する。
【００４９】
タブキーＴＢ２およびＴＢ３は、それぞれ、ボックス機能の１つであるジョブボックス機能およびファックスボックス機能に対応付けられている。すなわち、操作パネル１０１は、タブキーＴＢ２が指定されると、ジョブボックス機能の設定画面を表示し、タブキーＴＢ３が指定されると、ファックスボックス機能の設定画面を表示する。なお、ジョブボックス機能というのは、画像データをコンピューター２００から画像形成装置１００に送信して蓄積したり、その蓄積した画像データに基づく印刷を行ったりする機能である。また、ファックスボックス機能というのは、通信部１２０が受信したファックスデータを蓄積したり、その蓄積したファックスデータに基づく印刷を行ったりする機能である。
【００５０】
タブキーＢＴ４は、外部メモリーを利用した機能（以下、外部メモリー機能と称する）に対応付けられている。そして、操作パネル１０１は、タブキーＴＢ４が指定されると、外部メモリー機能の設定画面を表示する。なお、外部メモリー機能というのは、外部メモリーに保存した画像データに基づく印刷を行ったり、外部メモリーに画像データを保存したりする機能である。
【００５１】
ところで、ジョブボックス機能、ファックスボックス機能および外部メモリー機能にそれぞれ対応する各設定画面へは、図４に示したメインメニュー画面ＭＳからでも遷移可能である。すなわち、操作パネル１０１は、ソフトキーＫ５が指定された場合にはジョブボックス機能の設定画面へ遷移し、ソフトキーＫ６が指定された場合にはファックスボックス機能の設定画面へ遷移し、ソフトキーＫ７が指定された場合には外部メモリー機能の設定画面へ遷移する。
【００５２】
なお、ソフトキーＫ８はプログラム機能に対応するソフトキーＫであり、ソフトキーＫ８の表示位置がタッチパネル部１１を介してユーザーによってタッチされると、操作パネル１０１は、登録されたプログラムのうちから呼び出すプログラムの選択指示をユーザーから受け付けるためのプログラム選択画面（図示せず）を表示する。ところで、プログラム機能というのは、コピー機能や送信（スキャン）機能などに関する複数の設定項目のうち、ユーザーによって予め選択された１つ以上の設定項目（設定値）をプログラムとして登録しておく機能である。
【００５３】
（オブジェクトの作成）
本実施形態では、ユーザーによって作成された電子付箋などのオブジェクトＯＢ（図１０参照）を各機能の設定画面に重ねて表示させることができる。たとえば、各機能の設定画面には、図５〜図８に示すように、設定画面に重ねて表示させるオブジェクトＯＢの作成指示を受け付けるための作成キーＭＫが配されている。なお、作成キーＭＫに相当するハードキーが操作パネル１０１に設けられていてもよい。
【００５４】
そして、操作パネル１０１は、作成キーＭＫの表示位置がタッチパネル部１１を介してユーザーによってタッチされると、図９に示すように、オブジェクトＯＢに表記する文字（数字や特殊記号なども含む）の入力を受け付けるためのソフトウェアキーボードＫＢを表示する。これにより、ユーザーは、オブジェクトＯＢに表記するメッセージを入力することができる。そして、ユーザーは、所望のメッセージを入力した後、終了キーＥＫの表示位置をタッチパネル部１１を介してタッチする。この操作を受けて、操作パネル１０１は、図１０に示すように、ユーザーが入力したメッセージを表記したオブジェクトＯＢを設定画面に重ねて表示する。なお、図１０には、コピー機能の設定画面ＳＣにオブジェクトＯＢを重ねて表示した場合を図示している。
【００５５】
（オブジェクトの移動）
本実施形態では、或る設定画面に重ねて表示されたオブジェクトＯＢを別の設定画面に移動させることができる。ここで、オブジェクトＯＢの移動というのは、移動対象のオブジェクトＯＢを既存の場所に残したまま複製を移動（コピーアンドペースト）させる場合、および、移動対象のオブジェクトＯＢを切り取って移動（カットアンドペースト）させる場合の両方を含む。以下に、図１０に示した設定画面ＳＣに重ねて表示されたオブジェクトＯＢを移動させる場合を例にとって説明する。
【００５６】
オブジェクトＯＢを移動させたいユーザーは、図１１および図１２に示すように、移動させたいオブジェクトＯＢの表示位置においてタッチパネル部１１の２点をタッチし、それら２点をタッチしたまま２点の間隔を変動させる操作（たとえば、２点をタッチしたまま２点の間隔を狭める操作）を行う。この操作は、移動対象のオブジェクトＯＢを確定するための操作である。すなわち、タッチパネル部１１は、オブジェクトＯＢの表示位置の２点がタッチされた後、それら２点をタッチしたまま２点の間隔を変動させる操作が行われることで、タッチ位置に表示されていたオブジェクトＯＢを移動対象として確定した旨を受け付ける。なお、図１１および図１２において、白抜きの丸印はタッチ位置を示し、白抜きの矢印はタッチ位置の移動方向を示す。また、以降の説明で参照する図面においても、白抜きの丸印はタッチ位置を示し、白抜きの矢印はタッチ位置の移動方向を示す。
【００５７】
オブジェクトＯＢの表示位置においてタッチパネル部１１の２点がタッチされ、それら２点の間隔を変動させる操作が行われると、表示制御部１５は、タッチ位置に表示させていたオブジェクトＯＢを移動対象として確定する。この後、表示制御部１５は、移動対象のオブジェクトＯＢを確定した時点からの時間を計測する。そして、表示制御部１５は、移動対象のオブジェクトＯＢを確定して以降、タッチパネル部１１の２点がタッチされたまま予め定められた所定時間が経過した時点で、移動対象のオブジェクトＯＢの移動先となり得る移動先候補を示す移動先情報Ａを液晶表示部１２に表示させる（図１３および図１４参照）。すなわち、表示制御部１５は、オブジェクト移動モードに移行する。たとえば、移動対象のオブジェクトＯＢの移動先となり得る移動先候補は、各機能の設定画面である。
【００５８】
ここで、移動対象のオブジェクトＯＢの移動先となり得る設定画面は複数存在する。このため、液晶表示部１２は、移動先となり得る複数の設定画面をそれぞれ示す複数の移動先情報Ａを一覧表示する。たとえば、液晶表示部１２は、図１３に示すように、複数の移動先情報Ａを機能毎にツリー状に表示する。あるいは、液晶表示部１２は、図１４に示すように、複数の移動先情報Ａを機能毎に分類したテーブルを表示する。
【００５９】
これによって、ユーザーは、移動先となり得る設定画面を認識することができる。そして、この後、ユーザーは、移動先となり得る複数の設定画面から移動先を確定するための操作（オブジェクト移動操作）を行う。
【００６０】
たとえば、表示制御部１５は、液晶表示部１２に移動先情報Ａを表示させて以降、図１５に示すように、移動対象のオブジェクトＯＢの表示位置において１点以上（たとえば、１点）をタッチしたまま、タッチ位置を移動先情報Ａの表示位置に移動してタッチを解除する操作が行われた場合に、タッチパネル部１１がオブジェクト移動操作を受け付けたと判断する。この後、表示制御部１５は、直近のタッチ位置に表示されていた移動先情報Ａに対応する設定画面を移動先として確定する。
【００６１】
あるいは、表示制御部１５は、液晶表示部１２に移動先情報Ａを表示させて以降、図１６に示すように、オブジェクトＯＢの表示位置でのタッチを解除してから、移動先情報Ａの表示位置をタッチした後にタッチを解除する操作（たとえば、２点をタッチした後にタッチした２点の間隔を広げてからタッチを解除する操作）が行われた場合に、タッチパネル部１１がオブジェクト移動操作を受け付けたと判断する。この後、表示制御部１５は、直近のタッチ位置に表示されていた移動先情報Ａに対応する設定画面を移動先として確定する。
【００６２】
そして、表示制御部１５は、オブジェクトＯＢの表示箇所に関する情報を更新する。たとえば、図６に示した送信（スキャン）機能の設定画面ＳＳが移動先として確定されたとする。この場合、液晶表示部１２は、送信（スキャン）機能の設定画面ＳＳの表示指示を受けたとき、図１７に示すように、オブジェクトＯＢを設定画面ＳＳに重ねて表示する。
【００６３】
ところで、ユーザーからすると、移動対象のオブジェクトＯＢを既存の場所に残したまま複製を移動（コピーアンドペースト）させたい場合もあれば、移動対象のオブジェクトＯＢを切り取って移動（カットアンドペースト）させたい場合もある。このため、表示制御部１５は、たとえば、図１５に示した操作をタッチパネル部１１が受け付けた場合には、コピーアンドペーストを受け付けたと判断し、図１６に示した操作をタッチパネル部１１が受け付けた場合には、カットアンドペーストを受け付けたと判断する。
【００６４】
なお、液晶表示部１２は、移動対象のオブジェクトＯＢが確定して以降、タッチパネル部１１の２点がタッチされたまま所定時間が経過していなければ、移動先情報Ａを表示しない。そして、タッチパネル部１１は、移動対象のオブジェクトＯＢが確定して以降、所定時間の経過前に移動対象のオブジェクトＯＢの表示位置でのタッチを解除し、同一画面内において移動対象のオブジェクトＯＢの表示位置とは異なる位置をタッチした後にタッチを解除する操作が行われることで、直近のタッチ位置を移動対象のオブジェクトＯＢの移動先として確定した旨を受け付ける。
【００６５】
たとえば、図１２に示した操作が行われて以降（移動対象のオブジェクトＯＢが確定して以降）、所定時間の経過前に移動対象のオブジェクトＯＢの表示位置でのタッチが解除されたとする。この後、図１８に示すように、同一画面内において移動対象のオブジェクトＯＢの表示位置とは異なる位置をタッチした後にタッチを解除する操作（たとえば、２点をタッチした後にタッチした２点の間隔を広げてからタッチを解除する操作）が行われると、表示制御部１５は、同一画面内の直近のタッチ位置を移動対象のオブジェクトＯＢの移動先として確定する。すなわち、液晶表示部１２は、図１９に示すように、同一画面内でオブジェクトＯＢを移動させる。
【００６６】
（オブジェクトを移動させるときの流れ）
以下に、図２０および図２１に示すフローチャートを参照し、設定画面に配されたオブジェクトを移動させるときの流れについて説明する。
【００６７】
まず、図２０のフローチャートのスタート時点では、液晶表示部１２がオブジェクトＯＢを配した設定画面を表示しているとする。そして、液晶表示部１２がオブジェクトＯＢを配した設定画面を表示している最中に、オブジェクトＯＢの表示位置において２点をタッチする操作をタッチパネル部１１が受け付けたとき、図２０のフローチャートがスタートする。
【００６８】
ステップＳ１において、表示制御部１５は、オブジェクトＯＢの表示位置においてタッチパネル部１１の２点がタッチされた後、２点をタッチしたまま２点の間隔を狭める（変動させる）操作が行われたか否かを判断する。判断の結果、タッチした２点の間隔を狭める操作が行われていれば、ステップＳ２に移行し、タッチした２点の間隔を狭める操作が行われていなければ、ステップＳ１の判断を繰り返す（オブジェクトＯＢが配された設定画面をそのまま表示し続ける）。
【００６９】
ステップＳ２に移行すると、表示制御部１５は、タッチ位置に表示させていたオブジェクトＯＢを移動対象として確定する。ステップＳ３において、表示制御部１５は、移動対象のオブジェクトＯＢを確定して以降、タッチパネル部１１の２点がタッチされたまま所定時間が経過したか否かを判断する。判断の結果、タッチパネル部１１の２点がタッチされたまま所定時間が経過していれば、ステップＳ４に移行する。
【００７０】
ステップＳ４に移行すると、表示制御部１５は、移動先となり得る設定画面（移動先候補）を示す移動先情報Ａを表示する。ステップＳ５において、表示制御部１５は、オブジェクト移動操作をタッチパネル部１１が受け付けたか否かを判断する。判断の結果、オブジェクト移動操作をタッチパネル部１１が受け付けていれば、ステップＳ６に移行する。
【００７１】
ステップＳ６に移行すると、表示制御部１５は、直近のタッチ位置（タッチ解除時のタッチ位置）に表示されていた移動先情報Ａに対応する設定画面を移動先として確定する。そして、ステップＳ７において、表示制御部１５は、移動対象のオブジェクトＯＢの表示箇所に関する情報を更新する。
【００７２】
なお、ステップＳ３において、タッチパネル部１１の２点がタッチされたまま所定時間が経過していない場合には、ステップＳ８に移行する。ステップＳ８に移行すると、表示制御部１５は、所定時間の経過前に移動対象のオブジェクトＯＢの表示位置でのタッチが解除されたか否かを判断する。判断の結果、タッチが解除されていれば、ステップＳ９に移行し、タッチが解除されていなければ、ステップＳ３に移行する。
【００７３】
ステップＳ９に移行すると、表示制御部１５は、同一画面内において移動対象のオブジェクトＯＢの表示位置とは異なる位置をタッチした後にタッチを解除する操作（同一画面内でオブジェクトＯＢを移動させるための操作）がタッチパネル部１１に対して行われたか否かを判断する。判断の結果、タッチパネル部１１が操作を受け付けていれば、ステップＳ１０に移行する。そして、ステップＳ１０において、表示制御部１５は、同一画面内の直近のタッチ位置（タッチ解除時のタッチ位置）を移動対象のオブジェクトＯＢの移動先として確定する。その後、ステップＳ７に移行する。
【００７４】
一方で、ステップＳ９において、タッチパネル部１１が操作を受け付けていなければ、ステップＳ１１に移行し、表示制御部１５は、オブジェクトＯＢの移動をキャンセルするキャンセル操作を受け付けたか否かを判断する。なお、キャンセル操作というのは、たとえば、移動対象のオブジェクトＯＢの表示位置においてタッチパネル部１１をタッチする操作のことである。あるいは、操作パネル１０１に設けられたハードキーの１つであるリセットキー１７（図２参照）を押下した場合にも、オブジェクトＯＢの移動をキャンセルすることができる。このようなキャンセル操作を受け付けていれば、オブジェクトＯＢを移動させずに終了する。一方で、キャンセル操作を受け付けていなければ、ステップＳ９に移行する。
【００７５】
また、ステップＳ５において、オブジェクト移動操作をタッチパネル部１１が受け付けていない場合には、ステップＳ１２に移行する。ステップＳ１２に移行すると、表示制御部１５は、オブジェクトＯＢの移動をキャンセルするキャンセル操作を受け付けたか否かを判断する。判断の結果、キャンセル操作を受け付けていれば、オブジェクトＯＢを移動させずに終了する。一方で、キャンセル操作を受け付けていなければ、ステップＳ５に移行する。
【００７６】
本実施形態では、上記のように、液晶表示部１２（表示部）は、オブジェクトＯＢを配した設定画面（画面）を表示している最中に、タッチパネル部１１の２点をタッチする操作が行われた場合、オブジェクトＯＢの移動先となり得る移動先候補を示す移動先情報Ａを表示する。また、タッチパネル部１１は、移動先情報Ａの表示位置をタッチした後にタッチを解除する操作を含むオブジェクト移動操作が行われることで、直近のタッチ位置に表示されていた移動先情報Ａに対応する移動先候補をオブジェクトＯＢの実際の移動先として確定した旨を受け付ける。これにより、ユーザーからすると、オブジェクトＯＢを移動させる際、タッチパネル部１１の２点をタッチした後（オブジェクトＯＢの移動先となり得る移動先候補を示す移動先情報Ａを液晶表示部１２が表示した後）、所望の移動先を示す移動先情報Ａの表示位置においてタッチパネル部１１をタッチするだけでよく、所望の移動先（たとえば、現時点の表示画面とは別の画面）を一々表示させる必要が無いので、操作が少なくて済む。その結果、液晶表示部１２に表示されるオブジェクトＯＢを移動させるための操作において、ユーザーにかかる負担を軽減して操作性を向上させることができる。
【００７７】
また、本実施形態では、上記のように、タッチパネル部１１は、オブジェクトＯＢの表示位置の２点がタッチされた後、２点をタッチしたまま２点の間隔を変動させる操作が行われることで、タッチ位置に表示されていたオブジェクトＯＢを移動対象として確定した旨を受け付ける。これにより、ユーザーからすると、簡単な操作で移動対象のオブジェクトＯＢを確定することができるので、利便性が良い。また、タッチパネル部１１の２点がタッチされたことをトリガーとする別の処理（移動対象のオブジェクトＯＢを確定する処理とは異なる処理）との差別化を容易に図ることができる。
【００７８】
また、本実施形態では、上記のように、液晶表示部１２は、移動対象のオブジェクトＯＢが確定して以降、タッチパネル部１１の２点がタッチされたまま予め定められた所定時間が経過した時点で、移動先情報Ａを表示する。これにより、タッチパネル部１１の２点がタッチされたことをトリガーとする別の処理（移動先情報Ａを表示する処理とは異なる処理）との差別化を容易に図ることができる。
【００７９】
また、本実施形態では、上記のように、タッチパネル部１１は、液晶表示部１２が移動先情報Ａを表示して以降、移動対象のオブジェクトＯＢの表示位置において１点以上をタッチしたまま、タッチ位置を移動先情報Ａの表示位置に移動してタッチを解除する操作であるオブジェクト移動操作が行われることで、直近のタッチ位置に表示されていた移動先情報Ａに対応する移動先候補をオブジェクトＯＢの実際の移動先として確定した旨を受け付ける。あるいは、タッチパネル部１１は、液晶表示部１２が移動先情報Ａを表示して以降、オブジェクトＯＢの表示位置でのタッチを解除してから、移動先情報Ａの表示位置をタッチした後にタッチを解除する操作であるオブジェクト移動操作が行われることで、直近のタッチ位置に表示されていた移動先情報Ａに対応する移動先候補をオブジェクトＯＢの実際の移動先として確定した旨を受け付ける。これにより、ユーザーからすると、簡単な操作で移動先を確定することができるので、利便性が良い。
【００８０】
また、本実施形態では、上記のように、液晶表示部１２は、移動対象のオブジェクトＯＢが確定して以降、タッチパネル部１１の２点がタッチされたまま所定時間が経過していなければ、移動先情報Ａを表示せず、タッチパネル部１１は、移動対象のオブジェクトＯＢが確定して以降、所定時間の経過前に移動対象のオブジェクトＯＢの表示位置でのタッチを解除し、同一画面内において移動対象のオブジェクトＯＢの表示位置とは異なる位置をタッチした後にタッチを解除する操作が行われることで、同一画面内の直近のタッチ位置を移動対象のオブジェクトＯＢの移動先として確定した旨を受け付ける。これにより、ユーザーからすると、同一画面内でのオブジェクトＯＢの移動も行うことができ、利便性が良い。
【００８１】
また、本実施形態では、上記のように、液晶表示部１２は、移動対象のオブジェクトＯＢの移動先となり得る移動先候補が複数存在する場合、移動先となり得る複数の移動先候補をそれぞれ示す複数の移動先情報Ａを一覧表示する。これにより、ユーザーからすると、移動先となり得る全ての移動先候補を把握することができるので、利便性が良い。
【００８２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００８３】
たとえば、上記した構成において、或るボックスに格納された画像データを示すファイルアイコンが移動対象のオブジェクトであってもよい。そして、この場合には、ボックスを示すオブジェクトである階層構造のフォルダアイコンを移動先情報として表示してもよい。
【符号の説明】
【００８４】
１１  タッチパネル部
１２  液晶表示部（表示部）
１００  画像形成装置
１０１  操作パネル（表示入力装置）
Ａ  移動先情報
ＯＢ  オブジェクト
ＳＣ、ＳＳ、ＳＦ、ＳＢ  設定画面（移動先候補、画面）
【図１】
0005645869.tif 000002
【図２】
0005645869.tif 000003
【図３】
0005645869.tif 000004
【図４】
0005645869.tif 000005
【図５】
0005645869.tif 000006
【図６】
0005645869.tif 000007
【図７】
0005645869.tif 000008
【図８】
0005645869.tif 000009
【図９】
0005645869.tif 000010
【図１０】
0005645869.tif 000011
【図１１】
0005645869.tif 000012
【図１２】
0005645869.tif 000013
【図１３】
0005645869.tif 000014
【図１４】
0005645869.tif 000015
【図１５】
0005645869.tif 000016
【図１６】
0005645869.tif 000017
【図１７】
0005645869.tif 000018
【図１８】
0005645869.tif 000019
【図１９】
0005645869.tif 000020
【図２０】
0005645869.tif 000021
【図２１】
0005645869.tif 000022